(57)【要約】      （修正有）【課題】第１ディスク部と第２ディスク部を貼り合わせることにより、光ディスクを製造する光ディスク製造装置を提供する。【解決手段】反転部材は、第１動力手段と、反転アームと、第１固定座を有し、該第１動力手段は第１固定座に固設され、該反転アームの一端は第１動力手段の出力端と連結されると共に、他端に第１吸着台が設けられ、第１動力手段によって反転アームのが第１吸着台を所定の第１位置と第２位置との間で往復させし、昇降回転部材は、第２位置に設置されると共に、第２固定座と、主軸座と、第２吸着台と、第２動力手段とを備え、主軸座は第２固定座に設けられると共に、中央に上下に貫通する孔が形成され、第２吸着台の下面に孔を貫通する主軸が設けられ、第２固定座の下側に第２動力手段が設けられ、主軸の下端が第２動力手段の出力端と連結されることにより、第２吸着台を昇降又は回転させる。【選択図】図１
0003113053.tif 000002
【実用新案登録請求の範囲】
【請求項１】
反転部材と昇降回転部材を備える光ディスク製造装置であって、
前記反転部材は、第１動力手段と、反転アームと、第１固定座を有し、該第１動力手段は第１固定座に固設され、該反転アームの一端は前記第１動力手段の出力端と連結されると共に、他端に第１吸着台が設けられ、前記第１動力手段によって反転アームのが第１吸着台を所定の第１位置と第２位置との間で往復させし、
前記昇降回転部材は、前記第２位置に設置されると共に、第２固定座と、主軸座と、第２吸着台と、第２動力手段とを備え、該主軸座は第２固定座に設けられると共に、中央に上下に貫通する孔が形成され、前記第２吸着台の下面に該孔を貫通する主軸が設けられ、前記第２固定座の下側に第２動力手段が設けられ、主軸の下端が第２動力手段の出力端と連結されることにより、第２吸着台を昇降又は回転させることを特徴とする光ディスク製造装置。
【請求項２】
前記第１動力手段はモータと減速部材からなることを特徴とする請求項１に記載の光ディスク製造装置。
【請求項３】
前記反転アームはL字形であることを特徴とする請求項１又は２に記載の光ディスク製造装置。
【考案の詳細な説明】
【技術分野】
【０００１】
本考案は、特に第１ディスク部と第２ディスク部を貼り合わせることにより、光ディスクを製造する光ディスク製造装置に関するものである。
【背景技術】
【０００２】
光ディスクは、通常透明な第１ディスクと、情報記録層を有する第２ディスクを光ディスク製造装置によって貼り合わせることにより製造される。
【０００３】
従来の光ディスク製造装置は、例えば台湾実用新案公告第５８７８２５号の「光ディスク製造機」に示すように、第１ディスク部と第２ディスク部を夫々回転盤に放置し、接着剤塗布装置によって第１ディスク部と第２ディスク部の貼り合わせ面に接着剤を塗布した後、反転部材によって第１ディスク部と第２ディスク部の貼り合わせ面を貼り合わせ、多段式の回転部材によって接着剤を第１ディスク部と第２ディスク部の間に均一に分散させることにより、光ディスクを製造する。
【考案の開示】
【考案が解決しようとする課題】
【０００４】
しかしながら、前記光ディスク製造装置により光ディスクを製造する場合、第１ディスク部と第２ディスク部との接着剤の間に気泡が発生しやすく、更に、多段式の回転部材により接着剤を均一に分散させるのでは、時間がかかりすぎるので、非常に面倒である。 
そこで、案出されたのが本考案であって、第１ディスク部と第２ディスク部を貼り合わせることにより、光ディスクを製造する光ディスク製造装置を提供することを目的としている。
【課題を解決するための手段】
【０００５】
本願の請求項１の考案は、反転部材と昇降回転部材を備える光ディスク製造装置であって、
前記反転部材は、第１動力手段と、反転アームと、第１固定座を有し、該第１動力手段は第１固定座に固設され、該反転アームの一端は前記第１動力手段の出力端と連結されると共に、他端に第１吸着台が設けられ、前記第１動力手段によって反転アームのが第１吸着台を所定の第１位置と第２位置との間で往復させし、
前記昇降回転部材は、前記第２位置に設置されると共に、第２固定座と、主軸座と、第２吸着台と、第２動力手段とを備え、該主軸座は第２固定座に設けられると共に、中央に上下に貫通する孔が形成され、前記第２吸着台の下面に該孔を貫通する主軸が設けられ、前記第２固定座の下側に第２動力手段が設けられ、主軸の下端が第２動力手段の出力端と連結されることにより、第２吸着台を昇降又は回転させることを特徴とする光ディスク製造装置、を提供する。 
本願の請求項２の考案は、前記第１動力手段はモータと減速部材からなることを特徴とする請求項１に記載の光ディスク製造装置、を提供する。 
本願の請求項３の考案は、前記反転アームはL字形であることを特徴とする請求項１又は２に記載の光ディスク製造装置、を提供する。
【考案の効果】
【０００６】
本考案は上記の課題を解決するものであり、反転アームの回転により接着剤を塗布した第１ディスク部と第２ディスク部を貼り合わせ、昇降回転部材により、貼り合わせた第１ディスク部と第２ディスク部との間における接着剤を均一に分散するので、気泡のない光ディスクを簡単に製造することができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。 
図１は本考案に係る光ディスク製造装置の斜視図であり、図２は本考案に係る光ディスク製造装置の平面図であり、図３は本考案に係る光ディスク製造装置の側面図であり、図４は本考案に係る光ディスク製造装置の使用状態を示す斜視図であり、図５は本考案に係る光ディスク製造装置の使用状態を示す側面図であり、図６は本考案に係る光ディスク製造装置における光ディスクの貼り合わせ状態を示す側面図である。 
図１乃至図３に示すように、本考案に係る光ディスク製造装置は、回転部材、光ディスク部取得部材、接着剤塗布部材及び光ディスク収集部材を有する光ディスク製造装置であって、
前記光ディスク製造装置は更に反転部材（１０）と昇降回転部材（２０）を備え、該反転部材（１０）は、第１動力手段（１１）と、反転アーム（１２）と、第１固定座（１３）を有し、該第１動力手段（１０）はモータ（１１１）と減速部材（１１２）からなると共に、第１固定座（１３）に固設され、該反転アーム（１２）はL字形又は他の形状を有するアームであり、本実施例において、該反転アーム（１２）はL字形である。該反転アーム（１２）の一端が前記第１動力手段（１１）の減速部材（１１２）の出力端と連結されると共に、他端にディスク部を吸着するための第１吸着台（１２１）が設けられ、第１動力手段（１１）によって反転アーム（１２）が第１吸着台（１２１）を所定の第１位置（A）と第２位置（B）との間で往復させることができる。 
前記昇降回転部材（２０）は前記第２位置（B）に設置されると共に、第２固定座（２１）と、主軸座（２２）と、第２吸着台（２３）と、第２動力手段（２４）とを備え、該主軸座（２２）が第２固定座（２１）に設けられると共に、中央に上下に貫通する孔が形成され、前記第２吸着台（２３）の下面に主軸（２３１）が設けられ、前記第２固定座（２１）の下側に第２動力手段（２４）が設けられ、主軸（２３１）の下端が第２動力手段（２４）の出力端と連結されることにより、第２吸着台（２３）を昇降又は回転させる。 
本考案に係る光ディスク製造装置を使用する場合、光ディスク部取得部材によって透明な第１ディスク部と、情報記録層を有する第２ディスク部を所定の位置に移動させ、接着剤塗布部材によって第１ディスク部と第２ディスク部に接着剤を塗布すると共に、第１ディスク部と第２ディスク部の貼り合わせ面を互いに貼り合わせる。 
図４乃至図６に示すように、前記第１ディスク部と第２ディスク部を貼り合わせる場合、反転部材（１０）の反転アーム（１２）の一端における第１吸着台（１２１）は第１位置（A）の下方に位置し、昇降回転部材（２０）の第２吸着台（２３）は第２位置（B）の下方に位置し、そして第１動力手段（１１）によって反転アーム（１２）を駆動し、第１吸着台（１２１）が上方へ移動しながら第１ディスク部（３０A）を吸着すると共に、第１ディスク部（３０A）を第２位置（B）における第２ディスク部（３０B）の上方へ回転させ、昇降回転部材（２０）の第２動力手段（２４）によって第２吸着台（２３）を駆動することにより、第２ディスク部（３０B）を上方へ移動しながら第１ディスク部（３０A）と貼り合わせる。更に、反転アーム（１２）が元の位置に戻り、第２動力手段（２４）の第２吸着台（２３）によって貼り合わせた第１ディスク部（３０A）と第２ディスク部（３０B）を回転することにより、第１ディスク部（３０A）と第２ディスク部（３０B）との間における接着剤を均一に分散させる。
【産業上の利用可能性】
【０００８】
本考案は上記の構成を有するので、反転アームの回転により接着剤を塗布した第１ディスク部と第２ディスク部を貼り合わせ、昇降回転部材により、貼り合わせた第１ディスク部と第２ディスク部との間における接着剤を均一に分散するので、気泡のない光ディスクを簡単に製造することができる。
【図面の簡単な説明】
【０００９】
【図１】本考案に係る光ディスク製造装置の斜視図である。
【図２】本考案に係る光ディスク製造装置の平面図である。
【図３】本考案に係る光ディスク製造装置の側面図である。
【図４】本考案に係る光ディスク製造装置の使用状態を示す斜視図である。
【図５】本考案に係る光ディスク製造装置の使用状態を示す側面図である。
【図６】本考案に係る光ディスク製造装置における光ディスクの貼り合わせ状態を示す側面図である。
【符号の説明】
【００１０】
１０        反転部材
１１        第１動力手段
１１１      モータ
１１２      減速部材
１２        反転アーム
１２１      第１吸着台
１３        第１固定座
２０        昇降回転部材
２１        第２固定座
２２        主軸座
２３        第２吸着台
２３１      主軸
２４        第２動力手段
３０A      第１ディスク部
３０B      第２ディスク部
【図１】
0003113053.tif 000003
【図２】
0003113053.tif 000004
【図３】
0003113053.tif 000005
【図４】
0003113053.tif 000006
【図５】
0003113053.tif 000007
【図６】
0003113053.tif 000008